(57)【要約】【課題】  大気空気の工業的利用の際に必要な、除湿、除二酸化炭素を効率的に行うためのゼオライト分離膜を利用した膜分離による大気空気の除湿・除二酸化炭素連続処理方法、および処理装置を提供する。【解決手段】  膜分離を利用した大気空気の除湿・除二酸化炭素連続処理方法は、水（水蒸気）および二酸化炭素を含む大気空気を、除湿用分離膜３を具備する除湿ゾーン１に導入し、膜透過により空気中の水分を選択的に除去するとともに、膜の非透過側に、二酸化炭素を含む乾燥空気を形成する工程と、引き続き、二酸化炭素を含む乾燥空気を、多孔質基体上にゼオライト膜が形成された乾燥状態のゼオライト分離膜４を具備する除二酸化炭素ゾーン２に導入し、膜透過により空気中の二酸化炭素を選択的に除去するとともに、膜の非透過側に、水（水蒸気）および二酸化炭素が低減した乾燥浄化空気を形成する工程とよりなる。【選択図】    図２
2012106228.tif 000002
【特許請求の範囲】
【請求項１】
水（水蒸気）および二酸化炭素を含む大気空気を、除湿用分離膜を具備する除湿ゾーンに導入し、膜透過により空気中の水分を選択的に除去するとともに、膜の非透過側に、二酸化炭素を含む乾燥空気を形成する工程と、引き続き、二酸化炭素を含む乾燥空気を、多孔質基体上にゼオライト膜が形成された乾燥状態のゼオライト分離膜を具備する除二酸化炭素ゾーンに導入し、膜透過により空気中の二酸化炭素を選択的に除去するとともに、膜の非透過側に、水（水蒸気）および二酸化炭素が低減した乾燥浄化空気を形成する工程とよりなることを特徴とする、膜分離を利用した大気空気の除湿・除二酸化炭素連続処理方法。
【請求項２】
除湿ゾーンの除湿用分離膜が、多孔質基体上にゼオライト膜が形成されたゼオライト分離膜、または中空糸高分子分離膜であることを特徴とする、請求項１に記載の膜分離を利用した大気空気の除湿・除二酸化炭素連続処理方法。
【請求項３】
除湿ゾーンに加圧した大気空気を導入して、膜の非透過側に、二酸化炭素を含む加圧乾燥空気を形成し、続いて、二酸化炭素を含む加圧乾燥空気を、除二酸化炭素ゾーンに導入することを特徴とする、請求項１または２に記載の膜分離を利用した大気空気の除湿・除二酸化炭素連続処理方法。
【請求項４】
除二酸化炭素ゾーンにおいて、温度１００〜４００ｏＣに加熱した乾燥ゼオライト分離膜を用いることを特徴とする、請求項１〜３のうちのいずれか一項に記載の膜分離を利用した大気空気の除湿・除二酸化炭素連続処理方法。
【請求項５】
除二酸化炭素ゾーンにおいてゼオライト分離膜の膜透過により形成した二酸化炭素高含有乾燥空気を、除湿ゾーンの除湿用分離膜の透過側のスイープガスとして用いることを特徴とする、請求項１〜４のうちのいずれか一項に記載の膜分離を利用した大気空気の除湿・除二酸化炭素連続処理方法。
【請求項６】
除湿用分離膜を具備し、かつ水（水蒸気）および二酸化炭素を含む大気空気が導入されて、膜透過により空気中の水分が選択的に除去されるとともに、膜の非透過側に、二酸化炭素を含む乾燥空気が形成される除湿ゾーンと、管状の多孔質基体上にゼオライト膜が形成された乾燥状態のゼオライト分離膜を具備し、かつ連通路を介して除湿ゾーンからの二酸化炭素を含む乾燥空気が、引き続き導入されて、膜透過により空気中の二酸化炭素が選択的に除去されるとともに、膜の非透過側に、水（水蒸気）および二酸化炭素が低減した乾燥浄化空気が形成される除二酸化炭素ゾーンとを備えていることを特徴とする、膜分離を利用した大気空気の除湿・除二酸化炭素連続処理装置。
【請求項７】
除湿ゾーンの除湿用分離膜が、多孔質基体上にゼオライト膜が形成されたゼオライト分離膜、または中空糸高分子分離膜であることを特徴とする、請求項６に記載の膜分離を利用した大気空気の除湿・除二酸化炭素連続処理装置。
【請求項８】
除湿ゾーンにコンプレッサーにより加圧された大気空気が導入されて、膜の非透過側に、二酸化炭素を含む加圧乾燥空気が形成され、続いて、除二酸化炭素ゾーンに、二酸化炭素を含む加圧乾燥空気が導入されることを特徴とする、請求項６または７に記載の膜分離を利用した大気空気の除湿・除二酸化炭素連続処理装置。
【請求項９】
除二酸化炭素ゾーンに、ゼオライト分離膜を温度１００〜４００ｏＣに加熱する加熱器が具備せられていることを特徴とする、請求項６〜８のうちのいずれか一項に記載の膜分離を利用した大気空気の除湿・除二酸化炭素連続処理装置。
【請求項１０】
除二酸化炭素ゾーンにおいてゼオライト分離膜の膜透過により形成された二酸化炭素高含有乾燥空気が、除湿ゾーンの除湿用分離膜の透過側のスイープガスとして用いられることを特徴とする、請求項６〜９のうちのいずれか一項に記載の膜分離を利用した大気空気の除湿・除二酸化炭素連続処理装置。
【発明の詳細な説明】
【技術分野】
【０００１】
本発明は、大気空気の工業的利用の際に必要な、除湿、除二酸化炭素を効率的に行うためのゼオライト分離膜を利用した膜分離による大気空気の除湿・除二酸化炭素連続処理方法および処理装置に関するものである。
【背景技術】
【０００２】
一般に、空気は、例えば酸素ガス等のガス製造、空気圧機器、電池の製造など、その工業的用途は多岐にわたる。
【０００３】
しかし、大気空気を工業用途として利用可能とするためには、大気空気中に含まれる、例えば水（水蒸気）および二酸化炭素（ＣＯ２）などの不純物の全部または一部を前処理により除去する必要がある。
【０００４】
従来、大気空気の除湿のシステムとしては、膜式プロセスが実用化されている。これは、例えば下記の特許文献１に記載のように、高分子の中空糸膜を利用し、空気中から水蒸気のみを選択的に膜透過除去することによって、除湿を行うシステムで、膜式エアドライヤーとして知られている。
【０００５】
膜式エアドライヤーは、１９９０年代中ごろに市場形成されて以降、吸着式に対してランニングコストやメンテナンス性に優れることから、着実に市場を拡大してきている。
【０００６】
一方で、これら高分子中空糸膜を利用した膜式エアドライヤーでは、除二酸化炭素までは行われないため、特に二酸化炭素の存在が製品に悪影響を与える電池の製造・利用などの分野に関しては、二酸化炭素除去のため、膜式エアドライヤーの後工程で、吸着式ガス除去を行う必要があった。
【０００７】
大気空気の除二酸化炭素（除ＣＯ２）を行うシステムとしては、ゼオライトなどの吸着剤を利用した吸着式である温度スイング吸着（ＴＳＡ）プロセス、または圧力スイング吸着（ＰＳＡ）プロセスなどが利用されている。
【０００８】
例えば図６に示すように、従来の有機高分子中空糸膜モジュールを利用した膜式エアドライヤーによる除湿処理では、除二酸化炭素までは行われないため、大気空気の除湿処理後に、ゼオライトなどの吸着剤を利用した除二酸化炭素（除ＣＯ２）処理を実施すると、吸着剤の再生のための昇温、昇圧を頻繁に繰り返す必要があり、ランニングコストが非常に高くつくという難点があった。
【０００９】
なお、除二酸化炭素を行うための技術としては、下記の特許文献２において、ゼオライト分離膜、ゼオライト分離膜の製造方法、及びゼオライト分離膜によるガス混合体の分離方法が提案されており、多孔質基材の表面に形成したＹ型ゼオライト分離膜により、水の存在下、すなわち、ゼオライト分離膜に水が吸着している状態において、二酸化炭素と窒素とを含むガスの混合体から、二酸化炭素を分離することが提案されている。
【００１０】
また、下記の特許文献３に記載のガス分離用ゼオライト膜複合体の製造方法では、ＤＤＲ型またはＹ型のガス分離用ゼオライト膜複合体の片側（ゼオライト膜側）に炭酸混合ガスを置き、その反対側（多孔質支持体表面側）の二酸化炭素分圧をゼオライト膜側の二酸化炭素分圧以下にすれば、ガス分離用ゼオライト膜複合体中を二酸化炭素が選択的に透過し、炭酸混合ガス中にある二酸化炭素を多孔質支持体表面側に分離することができること（特許文献３の段落番号［００２３］参照）、また前記炭酸混合ガスとして、二酸化炭素を含有しているガスであれば特に限定されず、例えば二酸化炭素と、水素、酸素、窒素、ヘリウム、水（水蒸気）などとの混合ガスが挙げられている（特許文献３の段落番号［００２４］参照）。
【先行技術文献】
【特許文献】
【００１１】
【特許文献１】特開平０７−２３２０２４号公報
【特許文献２】特開平１０−３６１１３号公報
【特許文献３】特開２００９−１１９８０号公報
【発明の概要】
【発明が解決しようとする課題】
【００１２】
しかしながら、本発明者らが、上記特許文献に記載のように、多孔質基体上にゼオライト膜を形成したゼオライト分離膜を用いて大気空気の除二酸化炭素を試みたところ、水の存在下、すなわちゼオライト膜に水が吸着している状態においては、二酸化炭素の透過量が小さく、大気空気中の二酸化炭素を低減させる効果は、ほとんど得られないという問題があった。
【００１３】
本発明の目的は、上記の従来技術の問題を解決し、大気空気の工業的利用の際に必要な、除湿、除二酸化炭素を効率的に行うためのゼオライト分離膜を利用した膜分離による大気空気の除湿・除二酸化炭素連続処理方法および処理装置を提供することにある。
【課題を解決するための手段】
【００１４】
本発明者らは、上記の点に鑑み鋭意研究を重ねた結果、水（水蒸気）および二酸化炭素を含む大気空気を、除湿用分離膜を具備する除湿ゾーンに導入し、膜透過により空気中の水分を選択的に除去するとともに、膜の非透過側に、二酸化炭素を含む乾燥空気を形成し、引き続き、この二酸化炭素を含む乾燥空気を、多孔質基体上にゼオライト膜が形成された乾燥状態のゼオライト分離膜を具備する除二酸化炭素ゾーンに導入し、膜透過により空気中の二酸化炭素を選択的に除去するとともに、膜の非透過側に、水（水蒸気）および二酸化炭素が低減した乾燥浄化空気を形成することによって、従来の吸着式ガス処理負荷の低減あるいは撤廃により、省エネルギー化によるランニングコストの低減が可能となることを見出し、本発明を完成するに至ったものである。
【００１５】
上記の目的を達成するために、請求項１の膜分離を利用した大気空気の除湿・除二酸化炭素連続処理方法の発明は、水（水蒸気）および二酸化炭素を含む大気空気を、除湿用分離膜を具備する除湿ゾーンに導入し、膜透過により空気中の水分を選択的に除去するとともに、膜の非透過側に、二酸化炭素を含む乾燥空気を形成する工程と、引き続き、二酸化炭素を含む乾燥空気を、多孔質基体上にゼオライト膜が形成された乾燥状態のゼオライト分離膜を具備する除二酸化炭素ゾーンに導入し、膜透過により空気中の二酸化炭素を選択的に除去するとともに、膜の非透過側に、水（水蒸気）および二酸化炭素が低減した乾燥浄化空気を形成する工程とよりなることを特徴としている。
【００１６】
請求項２の発明は、請求項１に記載の膜分離を利用した大気空気の除湿・除二酸化炭素連続処理方法であって、除湿ゾーンの除湿用分離膜が、多孔質基体上にゼオライト膜が形成されたゼオライト分離膜、または中空糸高分子分離膜であることを特徴としている。
【００１７】
請求項３の発明は、請求項１または２に記載の膜分離を利用した大気空気の除湿・除二酸化炭素連続処理方法であって、除湿ゾーンに加圧した大気空気を導入して、膜の非透過側に、二酸化炭素を含む加圧乾燥空気を形成し、続いて、二酸化炭素を含む加圧乾燥空気を、除二酸化炭素ゾーンに導入することを特徴としている。
【００１８】
請求項４の発明は、請求項１〜３のうちのいずれか一項に記載の膜分離を利用した大気空気の除湿・除二酸化炭素連続処理方法であって、除二酸化炭素ゾーンにおいて、温度１００〜４００ｏＣに加熱した乾燥ゼオライト分離膜を用いることを特徴としている。
【００１９】
請求項５の発明は、請求項１〜４のうちのいずれか一項に記載の膜分離を利用した大気空気の除湿・除二酸化炭素連続処理方法であって、除二酸化炭素ゾーンにおいてゼオライト分離膜の膜透過により形成した二酸化炭素高含有乾燥空気を、除湿ゾーンの除湿用分離膜の透過側のスイープガスとして用いることを特徴としている。
【００２０】
請求項６の発明は、膜分離を利用した大気空気の除湿・除二酸化炭素連続処理装置であって、除湿用分離膜を具備し、かつ水（水蒸気）および二酸化炭素を含む大気空気が導入されて、膜透過により空気中の水分が選択的に除去されるとともに、膜の非透過側に、二酸化炭素を含む乾燥空気が形成される除湿ゾーンと、管状の多孔質基体上にゼオライト膜が形成された乾燥状態のゼオライト分離膜を具備し、かつ連通路を介して除湿ゾーンからの二酸化炭素を含む乾燥空気が、引き続き導入されて、膜透過により空気中の二酸化炭素が選択的に除去されるとともに、膜の非透過側に、水（水蒸気）および二酸化炭素が低減した乾燥浄化空気が形成される除二酸化炭素ゾーンとを備えていることを特徴としている。
【００２１】
請求項７の発明は、請求項６に記載の膜分離を利用した大気空気の除湿・除二酸化炭素連続処理装置であって、除湿ゾーンの除湿用分離膜が、多孔質基体上にゼオライト膜が形成されたゼオライト分離膜、または中空糸高分子分離膜であることを特徴としている。
【００２２】
請求項８の発明は、請求項６または７に記載の膜分離を利用した大気空気の除湿・除二酸化炭素連続処理装置であって、除湿ゾーンにコンプレッサーにより加圧された大気空気が導入されて、膜の非透過側に、二酸化炭素を含む加圧乾燥空気が形成され、続いて、除二酸化炭素ゾーンに、二酸化炭素を含む加圧乾燥空気が導入されることを特徴としている。
【００２３】
請求項９の発明は、請求項６〜８のうちのいずれか一項に記載の膜分離を利用した大気空気の除湿・除二酸化炭素連続処理装置であって、除二酸化炭素ゾーンに、ゼオライト分離膜を温度１００〜４００ｏＣに加熱する加熱器が具備せられていることを特徴としている。
【００２４】
請求項１０の発明は、請求項６〜９のうちのいずれか一項に記載の膜分離を利用した大気空気の除湿・除二酸化炭素連続処理装置であって、除二酸化炭素ゾーンにおいてゼオライト分離膜の膜透過により形成された二酸化炭素高含有乾燥空気が、除湿ゾーンの除湿用分離膜の透過側のスイープガスとして用いられることを特徴としている。
【発明の効果】
【００２５】
請求項１の膜分離を利用した大気空気の除湿・除二酸化炭素連続処理方法の発明は、水（水蒸気）および二酸化炭素を含む大気空気を、除湿用分離膜を具備する除湿ゾーンに導入し、膜透過により空気中の水分を選択的に除去するとともに、膜の非透過側に、二酸化炭素を含む乾燥空気を形成する工程と、引き続き、二酸化炭素を含む乾燥空気を、多孔質基体上にゼオライト膜が形成された乾燥状態のゼオライト分離膜を具備する除二酸化炭素ゾーンに導入し、膜透過により空気中の二酸化炭素を選択的に除去するとともに、膜の非透過側に、水（水蒸気）および二酸化炭素が低減した乾燥浄化空気を形成する工程とよりなるもので、請求項１に記載の発明によれば、除湿ゾーンおよび除二酸化炭素ゾーンにおいて、大気空気の除湿および除二酸化炭素を連続的に行うことによって、従来の吸着式ガス処理負荷の低減あるいは撤廃により、省エネルギー化によるランニングコストの低減が可能となるという効果を奏する。
【００２６】
請求項２の発明は、請求項１に記載の膜分離を利用した大気空気の除湿・除二酸化炭素連続処理方法であって、除湿ゾーンの除湿用分離膜としては、多孔質基体上にゼオライト膜が形成されたゼオライト分離膜、および中空糸有機高分子分離膜のいずれを用いてもよい。
【００２７】
請求項３の発明は、請求項１または２に記載の膜分離を利用した大気空気の除湿・除二酸化炭素連続処理方法であって、除湿ゾーンに加圧した大気空気を導入して、膜の非透過側に、二酸化炭素を含む加圧乾燥空気を形成し、続いて、二酸化炭素を含む加圧乾燥空気を、除二酸化炭素ゾーンに導入するもので、請求項３に記載の発明によれば、例えばコンプレッサーにより加圧した大気空気を除湿ゾーンに供給させ、透過の駆動力である膜内外の圧力差を大きくすることによって、除湿ゾーンにおいて空気中の水分の選択的膜透過除去を、および除二酸化炭素ゾーンにおいて二酸化炭素の選択的膜透過除去を、それぞれ促進させることができるという効果を奏する。
【００２８】
請求項４の発明は、請求項１〜３のうちのいずれか一項に記載の膜分離を利用した大気空気の除湿・除二酸化炭素連続処理方法であって、除二酸化炭素ゾーンにおいて、温度１００〜４００ｏＣに加熱した乾燥ゼオライト分離膜を用いるもので、請求項４に記載の発明によれば、ゼオライト分離膜中の残存吸着水分を除去することができて、二酸化炭素の選択的膜透過除去を大幅に促進させることができるという効果を奏する。
【００２９】
特に、大気空気の除二酸化炭素ゾーンにおいて、水の存在下、すなわちゼオライト分離膜に水が吸着している状態では、二酸化炭素の透過量が小さく、大気空気中の二酸化炭素を低減させる効果はほとんど得られないが、前段で除湿を行い、後段で加熱乾燥させたゼオライト分離膜を用いることにより、顕著な除二酸化炭素効果が発現し、回収空気中の二酸化炭素濃度を４００ｐｐｍ程度から１００ｐｐｍ以下まで低減することが可能であるという効果を奏する。
【００３０】
請求項５の発明は、請求項１〜４のうちのいずれか一項に記載の膜分離を利用した大気空気の除湿・除二酸化炭素連続処理方法であって、除二酸化炭素ゾーンにおいてゼオライト分離膜の膜透過により形成した二酸化炭素高含有乾燥空気を、除湿ゾーンの除湿用分離膜の透過側のスイープガスとして用いるもので、請求項５に記載の発明によれば、除湿ゾーンの除湿用分離膜の透過側にスイープガスを流すことで、水（水蒸気）および二酸化炭素が低減した乾燥浄化空気の透過速度を上げることができ、大気空気の除湿・除二酸化炭素処理を、非常に効率よく実施することができるという効果を奏する。
【００３１】
請求項６の発明は、除湿用分離膜を具備し、かつ水（水蒸気）および二酸化炭素を含む大気空気が導入されて、膜透過により空気中の水分が選択的に除去されるとともに、膜の非透過側に、二酸化炭素を含む乾燥空気が形成される除湿ゾーンと、管状の多孔質基体上にゼオライト膜が形成された乾燥状態のゼオライト分離膜を具備し、かつ連通路を介して除湿ゾーンからの二酸化炭素を含む乾燥空気が、引き続き導入されて、膜透過により空気中の二酸化炭素が選択的に除去されるとともに、膜の非透過側に、水（水蒸気）および二酸化炭素が低減した乾燥浄化空気が形成される除二酸化炭素ゾーンとを備えているもので、請求項６に記載の発明によれば、除湿ゾーンおよび除二酸化炭素ゾーンにおいて、大気空気の除湿および除二酸化炭素を連続的に行うことができて、従来の吸着式ガス処理負荷の低減あるいは撤廃により、省エネルギー化によるランニングコストの低減が可能となるという効果を奏する。
【００３２】
請求項７の発明は、請求項６に記載の膜分離を利用した大気空気の除湿・除二酸化炭素連続処理装置であって、除湿ゾーンの除湿用分離膜としては、多孔質基体上にゼオライト膜が形成されたゼオライト分離膜、および中空糸有機高分子分離膜のいずれを用いてもよい。
【００３３】
請求項８の発明は、請求項６または７に記載の膜分離を利用した大気空気の除湿・除二酸化炭素連続処理装置であって、除湿ゾーンにコンプレッサーにより加圧された大気空気が導入されて、膜の非透過側に、二酸化炭素を含む加圧乾燥空気が形成され、続いて、除二酸化炭素ゾーンに、二酸化炭素を含む加圧乾燥空気が導入されるもので、請求項８に記載の発明によれば、コンプレッサーにより加圧した大気空気を除湿ゾーンに供給させ、透過の駆動力である膜内外の圧力差を大きくすることによって、除湿ゾーンにおいて空気中の水分の選択的膜透過除去を、および除二酸化炭素ゾーンにおいて二酸化炭素の選択的膜透過除去を、それぞれ促進させることができるという効果を奏する。
【００３４】
請求項９の発明は、請求項６〜８のうちのいずれか一項に記載の膜分離を利用した大気空気の除湿・除二酸化炭素連続処理装置であって、除二酸化炭素ゾーンに、ゼオライト分離膜を温度１００〜４００ｏＣに加熱する加熱器が具備せられているもので、請求項９に記載の発明によれば、ゼオライト分離膜中の残存吸着水分を除去することができて、二酸化炭素の選択的膜透過除去を大幅に促進させることができるという効果を奏する。
【００３５】
特に、大気空気の除二酸化炭素ゾーンにおいて、水の存在下、すなわちゼオライト分離膜に水が吸着している状態では、二酸化炭素の透過量が小さく、大気空気中の二酸化炭素を低減させる効果はほとんど得られないが、前段で除湿を行い、後段で加熱乾燥させたゼオライト分離膜を用いることにより、顕著な除二酸化炭素効果が発現し、回収空気中の二酸化炭素濃度を４００ｐｐｍ程度から１００ｐｐｍ以下まで低減することが可能であるという効果を奏する。
【００３６】
請求項１０の発明は、請求項６〜９のうちのいずれか一項に記載の膜分離を利用した大気空気の除湿・除二酸化炭素連続処理装置であって、除二酸化炭素ゾーンにおいてゼオライト分離膜の膜透過により形成された二酸化炭素高含有乾燥空気が、除湿ゾーンの除湿用分離膜の透過側のスイープガスとして用いられるもので、請求項１０に記載の発明によれば、除湿ゾーンの除湿用分離膜の透過側にスイープガスを流すことで、水（水蒸気）および二酸化炭素が低減した乾燥浄化空気の透過速度を上げることができ、大気空気の除湿・除二酸化炭素処理を、非常に効率よく実施することができるという効果を奏する。
【図面の簡単な説明】
【００３７】
【図１】本発明による膜分離を利用した大気空気の除湿・除二酸化炭素連続処理方法を実施する装置のフローシートである。
【図２】本発明による膜分離を利用した大気空気の除湿・除二酸化炭素連続処理方法を実施する装置の具体例を示す概略拡大断面図である。
【図３】多孔質アルミナ管上に形成したゼオライト分離膜（ＦＡＵ型）表面の走査型電子顕微鏡写真像である。
【図４】Ａ型ゼオライト分離膜を用いた大気空気の除湿結果を示す曲線図である。
【図５】ゼオライト分離膜の加熱処理が二酸化炭素除去能に与える影響を示す曲線図である。
【図６】従来法により有機高分子膜モジュールを用いた大気空気の除湿処理後に、吸着剤を用いた除二酸化炭素処理を実施する従来の処理装置のフローシートである。
【発明を実施するための形態】
【００３８】
つぎに、本発明の実施の形態を、図面を参照して説明するが、本発明はこれらに限定されるものではない。
【００３９】
図１は、本発明による膜分離を利用した大気空気の除湿・除二酸化炭素連続処理方法を実施する装置の実施形態の一例を示すフローシートである。
【００４０】
同図を参照すると、本発明による膜分離を利用した大気空気の除湿・除二酸化炭素連続処理方法は、水（水蒸気）および二酸化炭素を含む大気空気を、除湿用分離膜を具備する除湿ゾーンに導入し、膜透過により空気中の水分を選択的に除去するとともに、膜の非透過側に、二酸化炭素を含む乾燥空気を形成する工程と、引き続き、二酸化炭素を含む乾燥空気を、多孔質基体上にゼオライト膜が形成された乾燥状態のゼオライト分離膜を具備する除二酸化炭素ゾーンに導入し、膜透過により空気中の二酸化炭素を選択的に除去するとともに、膜の非透過側に、水（水蒸気）および二酸化炭素が低減した乾燥浄化空気を形成する工程とよりなることを特徴とするものである。
【００４１】
除湿ゾーンの除湿用分離膜としては、多孔質基体上にゼオライト膜が形成されたゼオライト分離膜、および中空糸有機高分子分離膜のいずれを用いてもよい。なお、図１は、除湿ゾーンおよび除二酸化炭素ゾーンのいずれにもゼオライト分離膜を用いた場合を例示しており、分離膜全体がゼオライト膜モジュールとして記載されている。
【００４２】
本発明において、膜式空気処理におけるゼオライト膜部材として、無機ミクロ多孔質膜の一種であるＡ型、ＦＡＵ型、ＣＨＡ型、ＺＳＭ−５型などのゼオライト膜を用いる。望ましくは、除湿ゾーンには、Ａ型ゼオライト分離膜、除二酸化炭素ゾーンには、ＦＡＵ型ゼオライト分離膜を用いるのが好ましい。
【００４３】
ゼオライト膜の形成は、例えば多孔質α−アルミナ管などの多孔質基体の表面に、ゼオライトの粉末（種結晶）の懸濁水溶液を塗布した、所定の温度で乾燥したのち、水熱合成させることによって行われる。ゼオライト膜の形成のための塗布方法は、特に限定されないが、ラビング（擦り込み）法や、浸漬法が好ましい。
【００４４】
除湿ゾーンの除湿用分離膜として、中空糸有機高分子分離膜を用いることができ、このような中空糸有機高分子分離膜としては、フッ素系イオン交換膜（商品名フレミオン、サンセップ社製）、ポリイミド膜、および酢酸セルロース膜などが挙げられる。
【００４５】
本発明の方法によれば、除湿ゾーンおよび除二酸化炭素ゾーンにおいて、大気空気の除湿および除二酸化炭素を連続的に行うことによって、従来の吸着式ガス処理負荷の低減あるいは撤廃により、省エネルギー化によるランニングコストの低減が可能となる。
【００４６】
本発明の方法においては、除湿ゾーン（１）において、例えばコンプレッサーにより０．１〜０．６ＭＰａに加圧した水（水蒸気）および二酸化炭素を含む大気空気を１〜４０Ｌ／ｍｉｎの供給量で供給し、透過の駆動力である膜内外の圧力差を大きくすることによって、除湿ゾーンにおいて空気中の水分の選択的膜透過除去を、および除二酸化炭素ゾーンにおいて二酸化炭素の選択的膜透過除去を、それぞれ促進させることができる。
【００４７】
また、除二酸化炭素ゾーンにおいて、温度１００〜４００ｏＣに加熱した乾燥ゼオライト分離膜を用いることにより、ゼオライト膜中の残存吸着水分を除去することができて、二酸化炭素の選択的膜透過除去を大幅に促進させることができる。
【００４８】
特に、大気空気の除二酸化炭素ゾーンにおいて、水の存在下、すなわちゼオライト膜に水が吸着している状態では、二酸化炭素の透過量が小さく、大気空気中の二酸化炭素を低減させる効果はほとんど得られないが、前段で除湿を行い、後段で加熱乾燥させたゼオライト分離膜を用いることにより、顕著な除二酸化炭素効果が発現し、回収空気中の二酸化炭素濃度を４００ｐｐｍ程度から１００ｐｐｍ以下まで低減することが可能である。
【００４９】
さらに、本発明による膜分離を利用した大気空気の除湿・除二酸化炭素連続処理方法において、除二酸化炭素ゾーンにおいてゼオライト分離膜の膜透過により形成した二酸化炭素高含有乾燥空気を、除湿ゾーンの除湿用分離膜の透過側のスイープガスとして流すことにより、水（水蒸気）および二酸化炭素が低減した乾燥浄化空気の透過速度を上げることができ、大気空気の除湿・除二酸化炭素処理を、非常に効率よく実施することができる。
【００５０】
図２は、本発明による膜分離を利用した大気空気の除湿・除二酸化炭素連続処理方法を実施する装置の具体例を示す概略拡大断面図である。
【００５１】
同図を参照すると、本発明による膜分離を利用した大気空気の除湿・除二酸化炭素連続処理装置は、管状の多孔質基体上にゼオライト膜が形成されたゼオライト分離膜（３）を具備し、かつ水（水蒸気）および二酸化炭素を含む大気空気が導入されて、膜透過により空気中の水分が選択的に除去されるとともに、膜の非透過側に、二酸化炭素を含む乾燥空気が形成される除湿ゾーン（１）と、管状の多孔質基体上にゼオライト膜が形成された乾燥状態のゼオライト分離膜（４）を具備し、かつ連通路（５）を介して除湿ゾーン（１）からの二酸化炭素を含む乾燥空気が、引き続き導入されて、膜透過により空気中の二酸化炭素が選択的に除去されるとともに、膜の非透過側に、水（水蒸気）および二酸化炭素が低減した乾燥浄化空気が形成される除二酸化炭素ゾーン（２）とを備えている。
【００５２】
本発明による膜分離を利用した大気空気の除湿・除二酸化炭素連続処理装置によれば、ゼオライト分離膜（３）（４）をそれぞれ具備した除湿ゾーン（１）および除二酸化炭素ゾーン（２）において、大気空気の除湿および除二酸化炭素を連続的に行うことができて、従来の吸着式ガス処理負荷の低減あるいは撤廃により、省エネルギー化によるランニングコストの低減が可能である。
【００５３】
本発明による膜分離を利用した大気空気の除湿・除二酸化炭素連続処理装置では、除湿ゾーン（１）の管状ゼオライト分離膜（３）の後端部と、除二酸化炭素ゾーン（２）の管状ゼオライト分離膜（４）の前端部とが、両ゾーン（１）（２）の隣接側壁部を貫通する管状ゼオライト分離膜と同径の連通パイプ（６）を介して接続されている。
【００５４】
また、除湿ゾーン（１）の管状ゼオライト分離膜（３）の前端部には、同径の延長パイプ部（７）が接続されていて、この延長パイプ部（７）の先端部が、除湿ゾーン（１）の前壁を貫通して、除湿ゾーン（１）の外側に開口せしめられている。一方、除二酸化炭素ゾーン（２）の管状ゼオライト分離膜（４）の後端部は、後壁（８）によって塞がれている。
【００５５】
なおここで、除湿ゾーン（１）および除二酸化炭素ゾーン（２）のケーシングは、例えばステンレス鋼製であり、除湿ゾーン（１）の管状ゼオライト分離膜（３）（４）同士を連通する連通パイプ（６）、管状ゼオライト分離膜（３）前端部の延長パイプ部（７）、および管状ゼオライト分離膜（４）後端部の後壁（８）は、例えば無孔質のα−アルミナまたはステンレス鋼によって作製されている。
【００５６】
除湿ゾーン（１）の前端寄り部分には、コンプレッサー（９）が設置され、除湿ゾーン（１）には、コンプレッサー（９）により加圧された大気空気が導入されるようになされている。
【００５７】
また、本発明においては、除二酸化炭素ゾーン（２）に、ゼオライト分離膜（４）を温度１００〜４００ｏＣに加熱する加熱器（１０）が具備せられている。
【００５８】
さらに、除二酸化炭素ゾーン（２）の後端部の乾燥浄化空気の排出路には、圧力調整用の圧力調整弁（１１）が設けられている。
【００５９】
本発明の装置によれば、除湿ゾーン（１）にコンプレッサー（９）により加圧された大気空気を供給すると、ゼオライト分離膜（３）の非透過側に、二酸化炭素を含む加圧乾燥空気が形成され、続いて、除二酸化炭素ゾーン（２）に、二酸化炭素を含む加圧乾燥空気が導入され、コンプレッサー（９）により供給する大気空気を加圧することにより、膜透過の駆動力である膜内外の圧力差を大きくすることができて、除湿ゾーン（１）において空気中の水分の選択的膜透過除去を、および除二酸化炭素ゾーン（２）において二酸化炭素の選択的膜透過除去を、それぞれ促進させることができる。
【００６０】
また、本発明の装置によれば、除二酸化炭素ゾーン（２）に、ゼオライト分離膜（４）を温度１００〜４００ｏＣ、好ましくは２００〜３００℃に加熱する加熱器（１０）が具備することにより、ゼオライト分離膜（４）中の残存吸着水分を除去することができて、二酸化炭素の選択的膜透過除去を大幅に促進させることができる。
【００６１】
さらに、本発明の装置によれば、除二酸化炭素ゾーン（２）において管状ゼオライト分離膜（４）の膜透過により形成された二酸化炭素高含有乾燥空気が、連通パイプ（６）を通過して除湿ゾーン（１）の管状ゼオライト分離膜（３）の透過側のスイープガスとして用いられているので、除湿ゾーン（１）においてゼオライト分離膜（３）の透過側に、除二酸化炭素ゾーン（２）からの二酸化炭素高含有乾燥空気をスイープガスとして流すことで、水（水蒸気）および二酸化炭素が低減した乾燥浄化空気の透過速度を上げることができ、大気空気の除湿・除二酸化炭素処理を、非常に効率よく実施することができる。
【００６２】
なお、図示は省略したが、除湿ゾーン（１）の除湿用分離膜としては、中空糸有機高分子分離膜を用いることもできる。この場合、除湿ゾーン（１）の中空糸有機高分子分離膜と、除二酸化炭素ゾーン（２）の管状のゼオライト分離膜（４）とが、図示しない連通手段を介して連通されており、除二酸化炭素ゾーン（２）においてゼオライト分離膜（４）の膜透過により形成された二酸化炭素高含有乾燥空気が、連通手段を通って除湿ゾーン（１）の中空糸有機高分子分離膜の透過側のスイープガスとして用いられる。
【実施例】
【００６３】
つぎに、本発明の実施例を説明するが、本発明はこれらに限定されるものではない。
【００６４】
実施例１
図２に示す装置を用いて、本発明による膜分離を利用した大気空気の除湿・除二酸化炭素連続処理方法を実施した。
【００６５】
除湿ゾーン（１）のゼオライト分離膜（３）としては、多孔質α−アルミナ管基体上にＡ型ゼオライト膜が形成されたゼオライト分離膜を使用し、除二酸化炭素ゾーン（２）のゼオライト分離膜（４）としては、管状の多孔質α−アルミナ管基体上にＦＡＵ型ゼオライト膜が形成されたゼオライト分離膜を使用した。
【００６６】
そして、除湿ゾーン（１）の管状ゼオライト分離膜（３）の後端部と、除二酸化炭素ゾーン（２）の管状ゼオライト分離膜（４）の前端部とが、両ゾーン（１）（２）の隣接側壁部を貫通する管状ゼオライト分離膜と同径のステンレス鋼製の連通パイプ（６）を介して接続されている。
【００６７】
また、除湿ゾーン（１）の管状ゼオライト分離膜（３）の前端部には、同径のステンレス鋼製の延長パイプ部（７）が接続されていて、この延長パイプ部（７）の先端部が、除湿ゾーン（１）の前壁を貫通して、除湿ゾーン（１）の外側に開口せしめられている。一方、除二酸化炭素ゾーン（２）の管状ゼオライト分離膜（４）の後端部は、無孔質のα−アルミナ製の後壁（８）によって塞がれている。
【００６８】
なおここで、除湿ゾーン（１）および除二酸化炭素ゾーン（２）のケーシングは、ステンレス鋼製である。
【００６９】
除湿ゾーン（１）の前端寄り部分には、コンプレッサー（９）が設置され、除湿ゾーン（１）には、コンプレッサー（９）により加圧された大気空気が導入されるようになされている。
【００７０】
また、本発明においては、除二酸化炭素ゾーン（２）に、ゼオライト分離膜（４）を温度１００〜４００ｏＣに加熱する加熱器（商品名マントルヒーター、大科電器株式会社製）（１０）が具備せられている。
【００７１】
さらに、除二酸化炭素ゾーン（２）の後端部の乾燥浄化空気の排出路には、圧力調整用の圧力調整弁（１１）が設けられている。
【００７２】
ここで、除湿ゾーン（１）に用いるＡ型ゼオライト分離膜（３）は、以下に示す条件により水熱合成反応処理をすることで製造した。
【００７３】
（Ａ型ゼオライト分離膜の製造）
Ａ型ゼオライト種結晶（東ソー社製）を表面に塗付した多孔質α−アルミナ管（直径１６  ｍｍ、長さ１０００  ｍｍ）を、モル組成比（Ｈ２Ｏ／Ｎａ２Ｏ  ＝７５、  Ｎａ２Ｏ／ＳｉＯ２  ＝１、  ＳｉＯ２／Ａｌ２Ｏ３  ＝２）の合成溶液中に浸漬させ、密閉したステンレス鋼製のオートクレーブ内にて、温度１０５ｏＣで、４時間１５分保持することにより、多孔質α−アルミナ管基体上にＡ型ゼオライト膜が形成されたゼオライト分離膜（３）を製造した。
【００７４】
一方、除二酸化炭素ゾーン（２）に用いるＦＡＵ型ゼオライト分離膜（４）は、以下に示す条件により水熱合成反応処理をすることで製造した。
【００７５】
（ＦＡＵ型ゼオライト分離膜の製造）
ＦＡＵ型ゼオライト粉末（種結晶）（東ソー社製）を表面に塗付した多孔質α−アルミナ管（直径１６ｍｍ、長さ１０００  ｍｍ）を、モル組成比（Ｈ２Ｏ／Ｎａ２Ｏ＝５７．４、  Ｎａ２Ｏ／ＳｉＯ２＝１．３、  ＳｉＯ２／Ａｌ２Ｏ３＝１２．８））の合成溶液中に浸漬させ、密閉したステンレス鋼製のオートクレーブ内にて、温度１００ｏＣで、４時間４５分保持することにより、多孔質α−アルミナ管基体上にＦＡＵ型ゼオライト膜が形成されたゼオライト分離膜（４）を製造した。
【００７６】
ここで、図３に、多孔質アルミナ管上に形成したゼオライト分離膜（ＦＡＵ型）表面の走査型電子顕微鏡写真像を示す。
【００７７】
つぎに、除湿ゾーン（１）のＡ型ゼオライト分離膜（３）を用いて大気空気の除湿試験を実施した。試験条件は、下記の通りである。
【００７８】
なお、除湿ゾーン（１）の管状ゼオライト分離膜（３）には、コンプレッサー（９）により加圧した空気を供給させ、透過の駆動力である膜内外の圧力差を大きくすることによって、除湿ゾーン（１）において大気空気中の水分選択的膜透過除去を促進させるようにした。そして、管状ゼオライト分離膜（３）のスイープガスには乾燥空気を用いた。得られた結果を図４に記載した。
【００７９】
（除湿試験条件）
大気空気供給量：１〜４Ｌ／ｍｉｎ
供給大気空気温度：３０℃
大気空気供給圧力：０．６ＭＰａ  
使用膜：Ａ型ゼオライト分離膜
ゼオライト分離膜表面積：０．０５ｍ２
ゼオライト分離膜温度：３０ｏＣ
供給空気露点：１０ｏＣ
スイープ乾燥空気量：２Ｌ／ｍｉｎ
差圧：０．５ＭＰａ  （透過側大気開放）
図４に示す試験結果から明らかなように、回収空気量１Ｌ／ｍｉｎ、差圧０．５ＭＰａの条件において、ゼオライト膜による除湿により、露点１０℃の空気からから露点-２０ｏＣ以下の乾燥空気を連続的に回収した。
【００８０】
つぎに、除二酸化炭素ゾーン（２）で使用する多孔質α−アルミナ管基体上にＦＡＵ型ゼオライト膜が形成されたゼオライト分離膜（４）について、加熱乾燥が、ＦＡＵ型ゼオライト分離膜（４）の二酸化炭素透過度に及ぼす影響を試験した。試験条件は、下記の通りであり、二酸化炭素透過度の測定は、ステンレス鋼製モジュール（除二酸化炭素ゾーン）（２）内に取り付けた管状ＦＡＵ型ゼオライト分離膜（４）に対し、加圧した二酸化炭素ガスを膜外側から供給し、大気開放にした管状ＦＡＵ型ゼオライト分離膜（４）の内側に透過してくる二酸化炭素ガスの流量をガス流量計（商品名：ＡＤＭ１０００、Universal Gas Flowmeter、Agilent Technology社製）にて計測することにより行った。なお、管状ＦＡＵ型ゼオライト分離膜（４）の加熱処理は、１３０℃で１ｈ、および３００ｏＣで１ｈ行い、また比較のために、加熱処理なしのＦＡＵ型ゼオライト分離膜（４）についても同様に試験を行った。加熱処理がＦＡＵ型ゼオライト分離膜（４）の二酸化炭素透過度に与える影響について、得られた結果を下記の表１に示した。
【００８１】
（二酸化炭素透過度測定試験の条件）
ゼオライト分離膜の加熱処理条件：１３０℃で１ｈ、および３００ｏＣで１ｈ
供給二酸化炭素含有空気の露点：-２０ｏＣ以下
供給二酸化炭素含有空気の二酸化炭素分圧差：０．１３  ＭＰａ
測定膜温度：４０ｏＣ
使用膜：ＦＡＵ型ゼオライト分離膜
膜面積：１０  ｃｍ２
【表１】
2012106228.tif 000003
【００８２】
表１に示す試験結果から明らかなように、ＦＡＵ型ゼオライト分離膜（４）について、まず、ゼオライト分離膜（４）の加熱処理なし、すなわちゼオライト分離膜（４）に水が吸着している状態（水の存在下）では、二酸化炭素の透過量が小さく、大気空気中の二酸化炭素を低減させる効果はほとんど得られなかった。このような加熱処理なしの状態に比べ、ＦＡＵ型ゼオライト分離膜（４）を、温度１３０ｏＣで１ｈ加熱処理した場合には、二酸化炭素透過度が１００倍以上向上し、さらに、度３００ｏＣで１ｈ加熱処理した場合には、二酸化炭素透過度が５００倍以上向上した。
【００８３】
なお、ＦＡＵ型ゼオライト分離膜（４）を４００ｏＣまで加熱しても、更なる二酸化炭素透過度の向上は観察されなかったため、ＦＡＵ型ゼオライト分離膜（４）の加熱処理は、３００ｏＣまでで十分であることが判明した。
【００８４】
つぎに、本発明による膜分離を利用した大気空気の除湿・除二酸化炭素連続処理方法の効果を確認するために、下記の試験を行った。
【００８５】
図２に示す装置において、除湿ゾーン（１）には、上記のようにして作製したＡ型ゼオライト分離膜（３）を使用し、除二酸化炭素ゾーン（２）には、上記のようにして作製したＦＡＵ型ゼオライト分離膜（４）を使用した。
【００８６】
除湿ゾーン（１）においては、コンプレッサー（９）により０．５ＭＰａに加圧した水（水蒸気）および二酸化炭素を含む大気空気を４Ｌ／ｍｉｎの供給量で供給し、Ａ型ゼオライト分離膜（３）に対し水（水蒸気）透過の駆動力である膜内外の圧力差を大きくすることによって、Ａ型ゼオライト分離膜（３）による水（水蒸気）の選択的膜透過除去を促進させた。
【００８７】
除二酸化炭素ゾーン（２）においては、ＦＡＵ型ゼオライト分離膜（４）中の残存吸着水を除去するため、加熱器（１０）によってゼオライト分離膜（４）を温度３００ｏＣで加熱し、ゼオライト分離膜（４）を乾燥状態とした。
【００８８】
本発明の方法により、Ａ型ゼオライト分離膜（３）を具備する除湿ゾーン（１）において、膜透過により空気中の水分を選択的に除去するとともに、膜の非透過側に、二酸化炭素を含む乾燥空気を形成し、引き続き、この二酸化炭素を含む乾燥空気を、乾燥状態のゼオライト分離膜（４）を具備する除二酸化炭素ゾーン（２）に導入した。除二酸化炭素ゾーン（２）の処理条件下記の通りであった。
【００８９】
この除二酸化炭素ゾーン（２）においては、膜透過により乾燥空気中の二酸化炭素を選択的に除去するとともに、膜の非透過側に、水（水蒸気）および二酸化炭素が低減した乾燥浄化空気を形成した。膜透過により形成した二酸化炭素高含有乾燥空気は、除湿ゾーン（１）の管状ゼオライト分離膜（３）のスイープガスとして使用した。
【００９０】
（除二酸化炭素ゾーンの処理条件）
使用膜：ＦＡＵ型ゼオライト分離膜
膜面積：０．０５  ｍ２
ゼオライト分離膜乾燥のための前処理：３００ｏＣ、１ｈ
供給空気の露点：-２０ｏＣ以下
ゼオライト分離膜温度：６０ｏＣ
回収した乾燥浄化空気の量：１  Ｌ／ｍｉｎ
上記のように、除湿ゾーン（１）に供給される大気空気がコンプレッサー（９）により加圧されている結果、除二酸化炭素処理ゾーン（２）に供給される二酸化炭素を含む乾燥空気も加圧されている。
【００９１】
ここで、除二酸化炭素処理ゾーン（２）のゼオライト分離膜（４）に供給する加圧乾燥空気の圧力を変化させて、透過の駆動力である膜内外の圧力差を変化させ、得られた結果を図５に記載した。
【００９２】
図５は、除二酸化炭素処理ゾーン（２）のゼオライト分離膜（４）の内外における空気の全圧差（ＭＰａ）と、回収乾燥浄化空気中の二酸化炭素濃度（ｐｐｍ）との関係を示すものである。
【００９３】
図５に示す試験結果から明らかなように、除二酸化炭素処理ゾーン（２）に供給される二酸化炭素を含む乾燥空気が加圧されていることにより、透過の駆動力である膜内外の圧力差を大きくなって、空気中の二酸化炭素の選択的膜透過除去を促進させることができた。また特に、前段の除湿ゾーン（１）で大気空気の除湿を行い、後段の除二酸化炭素ゾーン（２）で加熱乾燥させたゼオライト分離膜（４）を用いることにより、顕著な除二酸化炭素効果が発現した。その結果、膜内外の差圧を大きくすることで、回収空気中の二酸化炭素濃度を、４００ｐｐｍ程度から、１００ｐｐｍ以下まで低減することが可能となった。
【符号の説明】
【００９４】
１：除湿ゾーン
２：除二酸化炭素処理ゾーン
３：ゼオライト分離膜
４：ゼオライト分離膜
５：連通路
６：連通パイプ
７：延長パイプ部
８：後壁
９：コンプレッサー
１０：加熱器
１１：圧力調整弁
【図１】
2012106228.tif 000004
【図２】
2012106228.tif 000005
【図４】
2012106228.tif 000006
【図５】
2012106228.tif 000007
【図６】
2012106228.tif 000008
【図３】
2012106228.tif 000009